(57)【要約】【課題】透明ディスプレイの製造コストを上げずに透明ディスプレイに表示する画像を利用者に視認させやすくすることが可能な画像処理装置を提供する。【解決手段】透明ディスプレイへの透過光の明るさを検出する透過光検出部と、前記透過光検出部が検出した透過光の明るさに基づいて、入力画像の階調を、低階調側から高階調側へ単調増加しながら入力画像の階調より下げる変換を行なう画像変換部と、を備えることを特徴とする、画像処理装置が提供される。【選択図】図１
2016085234.tif 000002
【特許請求の範囲】
【請求項１】
透明ディスプレイへの透過光の明るさを検出する透過光検出部と、
前記透過光検出部が検出した透過光の明るさに基づいて、入力画像に対し、低階調側から高階調側へ連れて少なくとも階調値を減少させずに入力画像の階調より下げる変換を行なう画像変換部と、
を備えることを特徴とする、画像処理装置。
【請求項２】
前記画像変換部は、入力画像に対し、低階調側から高階調側へ連れて単調増加させつつ入力画像の階調より下げる変換を行なうことを特徴とする、請求項１に記載の画像処理装置。
【請求項３】
前記画像変換部は、入力画像の階調を、所定の階調値以下の範囲において最低に下げる変換を行なうことを特徴とする、請求項１に記載の画像処理装置。
【請求項４】
前記画像変換部は、入力画像の階調を、所定の階調値以下の範囲において所定の係数を与えて下げる変換を行なうことを特徴とする、請求項１に記載の画像処理装置。
【請求項５】
前記画像変換部は、入力画像の階調を、所定の階調値を越える範囲においては、所定の係数を与えて上げる変換を行なうことを特徴とする、請求項１に記載の画像処理装置。
【請求項６】
透明ディスプレイへの透過光の明るさを検出する透過光検出ステップと、
前記透過光検出ステップで検出された透過光の明るさに基づいて、入力画像に対し、低階調側から高階調側へ連れて少なくとも減少させずに入力画像の階調より下げる変換を行なう画像変換ステップと、
を含むことを特徴とする、画像処理方法。
【請求項７】
コンピュータに、
透明ディスプレイへの透過光の明るさを検出する透過光検出ステップと、
前記透過光検出ステップで検出された透過光の明るさに基づいて、入力画像に対し、低階調側から高階調側へ連れて少なくとも減少させずに入力画像の階調より下げる変換を行なう画像変換ステップと、
を実行させることを特徴とする、コンピュータプログラム。
【請求項８】
透明ディスプレイと、
前記透明ディスプレイへの透過光の明るさを検出する透過光検出部と、
前記透過光検出部が検出した透過光の明るさに基づいて、入力画像に対し、低階調側から高階調側へ連れて少なくとも減少させずに入力画像の階調より下げる変換を行なって、変換後の画像を前記透明ディスプレイへ出力する画像変換部と、
を備えることを特徴とする、画像表示装置。
【請求項９】
前記透明ディスプレイは、発光素子に有機ＥＬ素子を用いたものであることを特徴とする、請求項８に記載の画像表示装置。
【発明の詳細な説明】
【技術分野】
【０００１】
本発明は、画像処理装置、画像処理方法、コンピュータプログラム及び画像表示装置
に関する。
【背景技術】
【０００２】
ディスプレイそのものが一定程度の透過度をもち、画面の背景が透けて見える特徴をもつ透明ディスプレイは、建物や車両の窓、店のショーウィンドウにも適用でき、広告や情報提供、ディスプレイ本来の機能を提供できる。また透明ディスプレイはデザイン性に優れるため、消費者の感性品質を満たすことができ、未来のディスプレイの一つとして注目を浴びている。
【０００３】
このように透明ディスプレイは背景が透けて見える特徴を有するので、本来表示したい画像が利用者に見えにくくなるという問題があり、その問題を解決するための技術が提案されている。例えば特許文献１には、透明ディスプレイへの画像の表示時に、背景の色と異なる色を表示するように変換することで画像を利用者に見やすくする技術が記載されている。また例えば特許文献２には、背景画像による影響を抑制するために、透過率を制御可能なフィルタを備えた透明ディスプレイの技術が記載されている。
【先行技術文献】
【特許文献】
【０００４】
【特許文献１】特開２０１２−２４７５４８号公報
【特許文献２】特開２０１３−１５６６３５号公報
【発明の概要】
【発明が解決しようとする課題】
【０００５】
しかし、特許文献１に記載の技術では、背景の色と異なる色を表示するように変換することで不自然な画像が表示されてしまうという問題があった。また特許文献２に記載の技術では、透過率を制御可能なフィルタが必要になり、透明ディスプレイの製造コストが上がってしまうという問題があった。
【０００６】
そこで、本発明は、上記問題に鑑みてなされたものであり、本発明の目的とするところは、階調の調整によって透明ディスプレイの製造コストを上げずに透明ディスプレイに表示する画像を利用者に視認させやすくすることが可能な、新規かつ改良された画像処理装置、画像処理方法、コンピュータプログラム及び画像表示装置を提供することにある。
【課題を解決するための手段】
【０００７】
上記課題を解決するために、本発明のある観点によれば、透明ディスプレイへの透過光の明るさを検出する透過光検出部と、前記透過光検出部が検出した透過光の明るさに基づいて、入力画像に対し、低階調側から高階調側へ連れて少なくとも階調値を減少させずに入力画像の階調より下げる変換を行なう画像変換部と、を備えることを特徴とする、画像処理装置が提供される。
【０００８】
かかる構成によれば、透過光検出部は透明ディスプレイへの透過光の明るさを検出し、画像変換部は透過光検出部が検出した透過光の明るさに基づいて、入力画像に対し、低階調側から高階調側へ連れて少なくとも階調値を減少させずに入力画像の階調より下げる変換を行なう。その結果、画像処理装置は、階調の調整によって透明ディスプレイの製造コストを上げずに透明ディスプレイに表示する画像を利用者に視認させやすくすることが可能になる。
【０００９】
前記画像変換部は、入力画像に対し、低階調側から高階調側へ連れて単調増加させつつ入力画像の階調より下げる変換を行なってもよい。
【００１０】
前記画像変換部は、入力画像の階調を、所定の階調値以下の範囲において最低に下げる変換を行なってもよい。
【００１１】
前記画像変換部は、入力画像の階調を、所定の階調値以下の範囲において所定の係数を与えて下げる変換を行なってもよい。
【００１２】
前記画像変換部は、入力画像の階調を、所定の階調値を越える範囲においては、所定の係数を与えて上げる変換を行なってもよい。
【００１３】
また、上記課題を解決するために、本発明の別の観点によれば、透明ディスプレイへの透過光の明るさを検出する透過光検出ステップと、前記透過光検出ステップで検出された透過光の明るさに基づいて、入力画像に対し、低階調側から高階調側へ連れて少なくとも減少させずに入力画像の階調より下げる変換を行なう画像変換ステップと、を含むことを特徴とする、画像処理方法が提供される。
【００１４】
また、上記課題を解決するために、本発明の別の観点によれば、コンピュータに、透明ディスプレイへの透過光の明るさを検出する透過光検出ステップと、前記透過光検出ステップで検出された透過光の明るさに基づいて、入力画像に対し、低階調側から高階調側へ連れて少なくとも減少させずに入力画像の階調より下げる変換を行なう画像変換ステップと、を実行させることを特徴とする、コンピュータプログラムが提供される。
【００１５】
また、上記課題を解決するために、本発明の別の観点によれば、透明ディスプレイと、前記透明ディスプレイへの透過光の明るさを検出する透過光検出部と、前記透過光検出部が検出した透過光の明るさに基づいて、入力画像に対し、低階調側から高階調側へ連れて少なくとも減少させずに入力画像の階調より下げる変換を行なって、変換後の画像を前記透明ディスプレイへ出力する画像変換部と、を備えることを特徴とする、画像表示装置が提供される。
【００１６】
上記透明ディスプレイは、発光素子に有機ＥＬ素子を用いたものであってもよい。
【発明の効果】
【００１７】
以上説明したように本発明によれば、階調の調整によって透明ディスプレイの製造コストを上げずに透明ディスプレイに表示する画像を利用者に視認させやすくすることが可能な、新規かつ改良された画像処理装置、画像処理方法、コンピュータプログラム及び画像表示装置を提供することができる。
【図面の簡単な説明】
【００１８】
【図１】本発明の一実施形態に係る画像表示装置１０の構成例について示す説明図である。
【図２】表示制御部１００の機能構成例を示す説明図である。
【図３】透明表示パネル２００に画像を表示させる様子を示す説明図である。
【図４】本発明の一実施形態に係る画像表示装置１０の動作例を示す流れ図である。
【図５】変換処理を説明するための説明図である。
【図６】変換処理を説明するための説明図である。
【図７】変換処理を説明するための説明図である。
【図８】変換処理を説明するための説明図である。
【図９】変換処理を説明するための説明図である。
【図１０】透明ディスプレイに画像を表示させる様子を示す説明図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．本発明の一実施形態＞
［背景］
まず、本発明の一実施形態の背景について説明し、その上で本発明の一実施形態について詳細に説明する。
【００２１】
上述したように、ディスプレイそのものが一定程度の透過度をもち、画面の背景が透けて見える特徴をもつ透明ディスプレイが注目を集めている。例えば、バックライトを設けずに画素が自ら発光する自発光型のディスプレイの一つである有機ＥＬディスプレイの電極に透明電極を用いることで、画像の非表示状態ではディスプレイを通じて背後の光景が利用者に透けて見えるような透明ディスプレイを実現できる。
【００２２】
発光素子に有機ＥＬを用いた透明ディスプレイの場合は、自発光型であり、かつ背景の光を遮断せずに透過させるため、黒色を表示することが出来ない。従って有機ＥＬを用いた透明ディスプレイに画像を表示させようとすると、黒色や、暗い色の部分では背景が透過されてしまい、利用者には表示しようとする画像と重なって見えてしまう。
【００２３】
図１０は、透明ディスプレイに画像を表示させる様子を示す説明図であり、透明ディスプレイに画像を表示させる際に、透明ディスプレイに表示する表示画像と、透明ディスプレイを透過する画像（背景画像）とがどのように透明ディスプレイに表示されるかを示す説明図である。
【００２４】
表示画像１１に黒色や暗い色の部分が無ければ背景画像１２が透過されることは無いが、表示画像１１に黒色や暗い色の部分があれば、透明ディスプレイに表示する表示画像１１は、透明ディスプレイを透過する背景画像１２と重畳されて、重畳画像１３が透明ディスプレイに表示されているように利用者には見えてしまう。
【００２５】
重畳画像１３が表示されているように利用者に見えることが透明ディスプレイの特徴ではあるが、背景画像１２の存在が画像の表示に常に影響を与えるため、従来の透明ディスプレイは、利用者に本来見せたい画像が見えづらくなってしまう。
【００２６】
上述したように、特許文献１には、透明ディスプレイへの画像の表示時に、背景の色と異なる色を表示するように変換することで画像を利用者に見やすくする技術が記載されている。また例えば特許文献２には、背景画像による影響を抑制するために、透過率を制御可能なフィルタを備えた透明ディスプレイの技術が記載されている。
【００２７】
しかし、特許文献１に記載の技術では、背景の色と異なる色を表示するように変換することで不自然な画像が表示されてしまうという問題があった。また特許文献２に記載の技術では、透過率を制御可能なフィルタが必要になり、透明ディスプレイの製造コストが上がってしまう。
【００２８】
そこで本件発明者は、背景画像による影響を抑制し、自然な画像を表示しつつ、製造コストを上げずに済むことが可能な透明ディスプレイの技術について鋭意検討を行った。その結果、本件発明者は、以下で説明するように、背景画像の影響を重畳画像からなくすために、表示画像から背景画像に相当する成分を差し引く処理を実行することで、透過率を制御可能なフィルタを設けずに、背景画像による影響を抑制し、自然な画像を表示させることが出来る透明ディスプレイを考案するに至った。
【００２９】
以上、本発明の一実施形態の背景について説明した。
【００３０】
［構成例］
続いて、本発明の一実施形態に係る画像表示装置の構成例について説明する。図１は、本発明の一実施形態に係る画像表示装置１０の構成例について示す説明図である。以下、図１を用いて本発明の一実施形態に係る画像表示装置１０の構成例について説明する。
【００３１】
図１に示したように、本発明の一実施形態に係る画像表示装置１０は、表示制御部１００と、透明表示パネル２００と、を含んで構成される。
【００３２】
表示制御部１００は、入力される画像信号に対して、透明表示パネル２００に画像を表示するための処理を実行する。表示制御部１００に入力される画像信号には様々なものが考えられるが、例えば所定の図形、文字、写真その他の情報を表示させるための画像信号が表示制御部１００に供給される。
【００３３】
本実施形態では、表示制御部１００は、透明表示パネル２００に画像を表示するための処理の一つとして、透明表示パネル２００の背景の画像の情報、具体的には、透明表示パネル２００を透過する光の情報に基づいて、画像の階調を落とす変換処理を実行する。表示制御部１００は、透明表示パネル２００に画像を表示するための処理を実行した後の画像信号を透明表示パネル２００に出力する。
【００３４】
透明表示パネル２００は、画面の背景が透けて見えるディスプレイパネルであり、透明な材質の発光素子からなる。すなわち、透明な素材からなるため、画像表示装置１０の背面の光を透過させて、前面に位置するユーザが背面にある物体の像を見ることができる。透明表示パネル２００は、例えば発光素子として有機ＥＬ素子がマトリクス状に配置され、さらに電極に透明電極を用いたディスプレイパネルである。透明表示パネル２００は、表示制御部１００から送られてくる画像信号に基づいて画像を表示する。
【００３５】
本実施形態では、透明表示パネル２００は、表示制御部１００において、所定の階調の範囲において画像の階調を落とす変換処理が施された画像信号に基づいて画像を表示する。この所定の階調の範囲とは、低階調側の範囲、すなわち、所定の閾値以下の範囲である。
【００３６】
透明表示パネル２００は、所定の階調の範囲において画像の階調を落とす変換処理が施された画像信号に基づいて画像を表示することで、透明表示パネル２００の背景の画による影響を抑制して、利用者に本来見せたい画像を見やすく表示することができる。
【００３７】
以上、図１を用いて本発明の一実施形態に係る画像表示装置１０の構成例について説明した。続いて本発明の一実施形態に係る画像表示装置１０の詳細な機能構成例について説明する。
【００３８】
図２は、本発明の一実施形態に係る画像表示装置１０に含まれる表示制御部１００の機能構成例を示す説明図である。以下、図２を用いて本発明の一実施形態に係る画像表示装置１０に含まれる表示制御部１００の機能構成例について説明する。
【００３９】
図２に示したように、本発明の一実施形態に係る表示制御部１００は、透過光検出部１１２と、画像変換部１１４と、を含んで構成される。
【００４０】
透過光検出部１１２は、本発明の一実施形態に係る画像表示装置１０における任意の位置、望ましくは、透明表示パネル２００の近傍に設けられる光計測デバイス１２０から、透明表示パネル２００を通ってユーザに見える背景画像（透過光）１２の情報を取得する。
【００４１】
具体的には、透過光検出部１１２は、後述の画像変換部で、表示画像１１から背景画像（透過光）１２の階調分を差し引くために、背景画像（透過光）１２の階調の情報を取得する。透過光検出部１１２は、光計測デバイス１２０から、背景画像（透過光）１２の情報を取得すると、取得した情報を画像変換部１１４に送る。
【００４２】
なお光計測デバイス１２０としては、照度センサ、カメラなどの、背景画像（透過光）１２の照度を取得するデバイスが用いられ得る。光計測デバイス１２０が背景画像（透過光）１２の照度を取得することで、透過光検出部１１２は透明表示パネル２００を通ってユーザに見える背景画像（透過光）１２の階調の情報の習得が可能になる。
【００４３】
画像変換部１１４は、表示画像１１に対して、背景画像（透過光）１２に相当する成分を差し引く画像変換処理を実行する。具体的には、画像変換部１１４は、表示画像１１の階調に対して、背景画像（透過光）１２に相当する成分を差し引く画像変換処理を実行する。画像変換部１１４は、表示画像１１の階調に対して、背景画像（透過光）１２に相当する成分を差し引いた補正画像１４を透明表示パネル２００に出力する。
【００４４】
本発明の一実施形態に係る画像表示装置１０に含まれる表示制御部１００は、図２に示したような構成を有することで、画像の階調を落とす変換処理が施された画像信号に基づいて画像を透明表示パネル２００に表示させることが出来る。従って本発明の一実施形態に係る画像表示装置１０に含まれる表示制御部１００は、図２に示したような構成を有することで、透明表示パネル２００の背景の画による影響を抑制して、利用者に本来見せたい画像を見やすく表示することができる。
【００４５】
図３は、透明表示パネル２００に画像を表示させる様子を示す説明図であり、透明表示パネル２００に画像を表示させる際に、透明表示パネル２００に表示する補正画像１４と、透明表示パネル２００を透過する背景画像（透過光）１２とがどのように透明ディスプレイに表示されるかを示す説明図である。
【００４６】
補正画像１４は、特に暗い部分について後述するように階調を落とす処理が施された画像である。透明表示パネル２００に表示する補正後表示画像１５が透明表示パネル２００に表示されているように利用者には見える。この補正後表示画像１５は、補正画像１４に背景画像（透過光）１２が加算された画像であるため、透明表示パネル２００に本来表示させたい画像に近い画像となっている。
【００４７】
［動作例］
続いて、本発明の一実施形態に係る画像表示装置１０の動作例について説明する。図４は、本発明の一実施形態に係る画像表示装置１０の動作例を示す流れ図である。図４に示したのは、表示画像の階調に対して、背景画像（透過光）に相当する成分を差し引く画像変換処理を実行することで透明表示パネル２００に本来表示させたい画像に近い画像を透明表示パネル２００に表示させる際の画像表示装置１０の動作例である。以下、図４を用いて本発明の一実施形態に係る画像表示装置１０の動作例について説明する。
【００４８】
画像表示装置１０は、画像表示装置１０における任意の位置、望ましくは、透明表示パネル２００の近傍に設けられる光計測デバイス１２０から、背景画像（透過光）１２の明るさを取得する（ステップＳ１０１）。このステップＳ１０１の処理は例えば透過光検出部１１２が実行する。
【００４９】
続いて画像表示装置１０は、透明表示パネル２００に表示しようとする表示画像１１から背景画像に相応する成分を差し引いた補正画像１４を生成する（ステップＳ１０２）。このステップＳ１０２の処理は例えば画像変換部１１４が実行する。
【００５０】
続いて画像表示装置１０は、上記ステップＳ１０２で生成した補正画像１４を透明表示パネル２００に出力する（ステップＳ１０３）。
【００５１】
図５は、上記ステップＳ１０２で示した、例えば画像変換部１１４によって行われる変換処理を説明するための説明図であり、透明表示パネル２００に表示しようとする表示画像１１から背景画像に相応する階調を差し引いた補正画像１４を生成する際の変換処理を説明するための説明図である。
【００５２】
図５に示したグラフの実線は何も補正を行ってない場合の入力階調と出力階調との関係を示しており、破線は背景画像に相応する階調を差し引いた後の入力階調と出力階調との関係を示している。ここで入力階調とは、画像変換部１１４に入力される表示画像１１の階調を示しており、出力階調とは、画像変換部１１４を通過した後の画像の階調を示している。
【００５３】
画像変換部１１４は、図５に示したように、入力階調の低階調側について一律で背景成分の階調を差し引くような変換処理を実行する。例えば階調値の最低値を０、最高値を１００と正規化して、背景画像（透過光）１２の明るさを取得する。
【００５４】
背景画像（透過光）１２の明るさを取得した結果、背景画像（透過光）１２の階調値が３０であった場合、画像変換部１１４は、入力階調の階調値が３０までは、出力階調の階調値を０とし、入力階調の階調値が３０を超えると、入力階調の階調値を３０差し引いたものを出力階調とする。
【００５５】
画像変換部１１４は、図５に示したような関係になるように表示画像１１から背景画像に相応する階調を差し引くことで、画像の階調を落とす変換処理が施された画像信号に基づいて画像を透明表示パネル２００に表示させることが出来る。
【００５６】
なお画像変換部１１４による変換処理は、図５に示したような関係となるような処理に限定されるものではない。
【００５７】
図５に示したように表示画像１１から背景画像に相応する階調を差し引くと、背景画像として差し引く成分が表示画像の階調よりも大きい場合には、差し引いた結果の光量を負にする必要がある。
【００５８】
しかし、差し引いた結果の光量を負にすることは不可能なため、実際には図５に示したように、差し引いた結果の光量が負になる部分は、全て階調値が０として表示される。この場合、補正後表示画像１５は、暗い部分がすべて同じ明るさとなり、階調変化が分からなくなってしまう。すなわち、いわゆる“黒つぶれ”が発生する。
【００５９】
そこで画像変換部１１４は、この黒つぶれを防ぐために、背景画像に相当する成分をそのまま差し引くのではなく、負になる部分にも階調が残るように差し引く量を変化させてもよい。
【００６０】
図６は、上記ステップＳ１０２で示した、例えば画像変換部１１４によって行われる変換処理を説明するための説明図であり、透明表示パネル２００に表示しようとする表示画像１１から背景画像に相応する階調を差し引いた補正画像１４を生成する際の変換処理を説明するための説明図である。
【００６１】
図６に示したグラフの実線は何も補正を行ってない場合の入力階調と出力階調との関係を示しており、破線は背景画像に相応する階調を差し引いた後の入力階調と出力階調との関係を示している。
【００６２】
図６では、図５に示した関係と異なり、入力階調の低階調側について一律で背景成分の階調を差し引くのではなく、階調が残るように差し引く量を変化させた変換処理を実行する。
【００６３】
すなわち、図５に示した関係では、画像変換部１１４は、入力階調の階調値が３０までは、出力階調の階調値を０としていたが、図６に示した関係では、画像変換部１１４は、入力階調の階調値が３０までは、出力階調の階調値を０ではなく０より大きな値にしている。この際、画像変換部１１４は、入力階調の階調値が３０になるまで、差し引く量が徐々に大きくなるような変換処理を実行している。
【００６４】
すなわち図６に示したのは、背景成分よりも入力階調が小さい場合に、差し引く量にある係数をかけて、変化量を減少させて黒つぶれを防ぐ、階調の入出力特性の例である。
【００６５】
画像変換部１１４は、入力階調と出力階調との関係が図６に示した関係となるように表示画像１１に対する変換処理を実行することで、補正後表示画像１５の暗い部分について黒つぶれが発生することを防ぐことが出来る。
【００６６】
画像変換部１１４による入力階調の調整の別のパターンを示す。図７は、上記ステップＳ１０２で示した、例えば画像変換部１１４によって行われる変換処理を説明するための説明図であり、透明表示パネル２００に表示しようとする表示画像１１から背景画像に相応する階調を差し引いた補正画像１４を生成する際の変換処理を説明するための説明図である。
【００６７】
図７に示したグラフの実線は何も補正を行ってない場合の入力階調と出力階調との関係を示しており、破線は背景画像に相応する階調を差し引いた後の入力階調と出力階調との関係を示している。
【００６８】
図７では、図５に示した関係と異なり、入力階調の低階調側について一律で背景成分の階調を差し引くのではなく、階調が残るように差し引く量を変化させた変換処理を実行することが示されている。
【００６９】
すなわち、図５に示した関係では、画像変換部１１４は、入力階調の階調値が３０までは、出力階調の階調値を０としていたが、図７に示した関係では、画像変換部１１４は、入力階調の階調値が３０までは、出力階調の階調値を０ではなく０より大きな値にしている。この際、画像変換部１１４は、入力階調の階調値が３０になるまで、差し引く量が徐々に大きくなるような変換処理を実行している。
【００７０】
そして図７では、入力階調の階調値が３０を超えると、最終的に入力階調の階調値の最大値と出力階調の階調値の最大値とが一致するような関係となるように変換処理を実行することが示されている。
【００７１】
画像変換部１１４は、入力階調と出力階調との関係が図７に示した関係となるように表示画像１１に対する変換処理を実行することで、補正後表示画像１５の暗い部分について黒つぶれが発生することを防ぐことが出来る。
【００７２】
また画像変換部１１４は、入力階調と出力階調との関係が図７に示した関係となるように表示画像１１に対する変換処理を実行することで、補正後表示画像１５を透明表示パネル２００に表示させた際に高階調側について視認させやすくすることが出来る。
【００７３】
図５及び図６に示した例では、入力画像の階調のダイナミックレンジに対して、補正画像のダイナミックレンジは狭くなっている。しかし図７に示したように、背景成分よりも入力階調が大きい部分の階調変化を大きくした入出力特性にすることにより、補正後のダイナミックレンジが狭くなることを防ぐことができる。
【００７４】
画像変換部１１４による入力階調の調整の別のパターンを示す。図８は、上記ステップＳ１０２で示した、例えば画像変換部１１４によって行われる変換処理を説明するための説明図であり、透明表示パネル２００に表示しようとする表示画像１１から背景画像に相応する階調を差し引いた補正画像１４を生成する際の変換処理を説明するための説明図である。
【００７５】
図８に示したグラフの実線は何も補正を行ってない場合の入力階調と出力階調との関係を示しており、破線は背景画像に相応する階調を差し引いた後の入力階調と出力階調との関係を示している。
【００７６】
図８では、図５に示した関係と異なり、入力階調の低階調側について一律で背景成分の階調を差し引くのではなく、階調が残るように差し引く量を変化させた変換処理を実行することが示されている。
【００７７】
すなわち、図５に示した関係では、画像変換部１１４は、入力階調の階調値が３０までは、出力階調の階調値を０としていたが、図８に示した関係では、画像変換部１１４は、入力階調の階調値が３０より大きい、例えば５０までは、出力階調の階調値を０ではなく０より大きな値にしている。この際、画像変換部１１４は、入力階調の階調値が５０になるまで、差し引く量が徐々に大きくなるような変換処理を実行している。
【００７８】
そして図８では、入力階調の階調値が３０より大きい、例えば５０を超えると、入力階調の階調値が５０の時点で差し引いていた量と同じ量を、入力階調の階調値が最大値になるまで差し引く変換処理を実行することが示されている。
【００７９】
画像変換部１１４は、入力階調と出力階調との関係が図８に示した関係となるように表示画像１１に対する変換処理を実行することで、補正後表示画像１５の暗い部分について黒つぶれが発生することを防ぐことが出来る。
【００８０】
図６や図７に示した例では、背景成分よりも入力階調が小さい部分の黒つぶれを防ぐことに注目して、この背景成分よりも入力階調が小さい範囲の階調を緩やかに変化するような入出力特性としていたが、図８に示した例では、背景成分と関係なくある値（例えば半分の階調以下など）以下のときに階調変化を小さくしていることで、その階調値以下における黒つぶれを防ぐことができる。
【００８１】
画像変換部１１４による入力階調の調整の別のパターンを示す。図９は、上記ステップＳ１０２で示した、例えば画像変換部１１４によって行われる変換処理を説明するための説明図であり、透明表示パネル２００に表示しようとする表示画像１１から背景画像に相応する階調を差し引いた補正画像１４を生成する際の変換処理を説明するための説明図である。
【００８２】
図９に示したグラフの実線は何も補正を行ってない場合の入力階調と出力階調との関係を示しており、破線は背景画像に相応する階調を差し引いた後の入力階調と出力階調との関係を示している。
【００８３】
図９では、図５に示した関係と異なり、入力階調の低階調側について一律で背景成分の階調を差し引くのではなく、階調が残るように差し引く量を変化させた変換処理を実行することが示されている。
【００８４】
すなわち、図５に示した関係では、画像変換部１１４は、入力階調の階調値が３０までは、出力階調の階調値を０としていたが、図９に示した関係では、画像変換部１１４は、入力階調の階調値が３０より大きい、例えば５０までは、出力階調の階調値を０ではなく０より大きな値にしている。この際、画像変換部１１４は、入力階調の階調値が５０になるまで、差し引く量が徐々に大きくなるような変換処理を実行している。
【００８５】
そして図９では、入力階調の階調値が３０より大きい、例えば５０を超えると、最終的に入力階調の階調値の最大値と出力階調の階調値の最大値とが一致するような関係となるように変換処理を実行することが示されている。
【００８６】
画像変換部１１４は、入力階調と出力階調との関係が図９に示した関係となるように表示画像１１に対する変換処理を実行することで、補正後表示画像１５の暗い部分について黒つぶれが発生することを防ぐことが出来る。
【００８７】
図６や図７に示した例では、背景成分よりも入力階調が小さい部分の黒つぶれを防ぐことに注目して、この背景成分よりも入力階調が小さい範囲の階調を緩やかに変化するような入出力特性としていた。
【００８８】
一方、図９に示した例では、背景成分と関係なくある値（例えば半分の階調以下など）以下のときに階調変化を小さくして、その値を超えると階調変化を大きくすることで、その階調値以下における黒つぶれを防ぐとともに、補正後表示画像のダイナミックレンジを広く取ることができる。
【００８９】
なお、上述の説明で触れた図５から図９のいずれのパターンにおいても、入力階調と出力階調との関係は、低階調側から高階調側へ向かって単調増加することを条件としている。また上述の説明で触れた図５から図９のいずれのパターンにおいても、入力階調と出力階調との関係は直線的に変化するものである例について示したが、入力階調と出力階調との関係は、低階調側から高階調側へ向かって単調増加するものであれば、入力階調と出力階調との関係は曲線的に変化するものであってもよい。
【００９０】
また、上述した各パターンを始めとした階調の調整のための情報は、表示制御部１００等の内部に例えばルックアップテーブル等の形式で保持されていても良い。そして画像表示装置１０の利用者によって、表示制御部１００等の内部に保持された設定の中から１つの設定が自動的に選択されてもよく、また画像表示装置１０の利用者によって、表示制御部１００等の内部に保持された設定がカスタマイズされてもよい。
【００９１】
このように、上述した階調の調整のための情報が内部に保持されたり、ユーザによってカスタマイズ可能とされたりすることで、画像表示装置１０は、ユーザの好みや、環境に応じた適切な画を透明表示パネル２００に表示することが出来る。例えば、表示制御部１００は、光計測デバイス１２０が計測した背景画像（透過光）１２の状態に応じて適切なパターンを自動的に選択することが出来る。
【００９２】
一例を挙げれば、背景画像（透過光）１２が暗ければ、表示制御部１００は、表示画像１１の階調を大きく落とさないように変換するようにしてもよく、背景画像（透過光）１２が明るければ、表示画像１１の階調を大きく落とすように変換するようにしてもよい。
【００９３】
＜２．まとめ＞
以上説明したように本発明の一実施形態によれば、所定の階調値以下の領域について画像の階調を落とす変換処理が施された画像信号に基づいて画像を透明表示パネル２００に表示させることが出来る表示制御部１００を備えた画像表示装置１０が提供される。
【００９４】
本発明の一実施形態に係る画像表示装置１０に含まれる表示制御部１００は、透明表示パネル２００を透過する透過光の明るさに基づいて、入力画像に対し、低階調側から高階調側へ連れて少なくとも階調値を減少させずに入力画像の階調より下げる変換を行なう。表示制御部１００は、具体的には上述したように、所定の閾値以下では、階調を最低にするか、階調に所定の係数を掛けて入力画像の階調より低下させる。
【００９５】
従って本発明の一実施形態に係る画像表示装置１０に含まれる表示制御部１００は、所定の階調値以下の領域について画像の階調を落とすことで、透明表示パネル２００の背景の画による影響を抑制して、利用者に本来見せたい画像を見やすく表示することができる。
【００９６】
本明細書における装置が実行する処理における各ステップは、必ずしもフローチャート（ｆｌｏｗｃｈａｒｔ）やシーケンス（ｓｅｑｕｅｎｃｅ）図として記載された順序に沿って時系列に処理される必要はない。例えば、各装置が実行する処理における各ステップは、フローチャートとして記載した順序と異なる順序で処理されても良く、並列的に処理されてもよい。
【００９７】
また上述した各装置の構成と同等の機能を、本明細書における装置に内蔵されるＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのハードウェア（図示せず）に発揮させるためのコンピュータプログラムも作成されることができる。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【００９８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９９】
１０    画像表示装置
１００    表示制御部
１１２    透過光検出部
１１４    画像変換部
１２０    光計測デバイス
２００    透明表示パネル
【図１】
2016085234.tif 000003
【図２】
2016085234.tif 000004
【図３】
2016085234.tif 000005
【図４】
2016085234.tif 000006
【図５】
2016085234.tif 000007
【図６】
2016085234.tif 000008
【図７】
2016085234.tif 000009
【図８】
2016085234.tif 000010
【図９】
2016085234.tif 000011
【図１０】
2016085234.tif 000012